(57)【要約】      （修正有）【課題】ワークの大きさや形状、種類或いは作業内容や作業環境等に応じて、自由に作業台上面の作業エリアと吸引エリアの大きさと形状を変更することができ、しかも設備コストを低く抑え、広い設置スペースや保管スペースを必要としない合理的な使用形態を可能にする集塵機用作業台と集塵装置を提供する。【解決手段】集塵機用作業台３は、作業時に発生する塵埃Ｂを上面の吸引口から内部に吸引する作業台本体１３と、作業台本体に設けられ集塵機７の吸気部１５が着脱可能に接続される集塵機用接続部５と、を具備する。集塵機用接続部は複数設けられ、また別の作業台本体を着脱可能に接続するための作業台用接続部６が複数設けられているのが好ましい。【選択図】図１
0003199780.tif 000002
【実用新案登録請求の範囲】
【請求項１】
作業時に発生する塵埃を吸引口から内部に吸引する作業台本体と、
上記作業台本体に設けられ集塵機の吸気部が着脱可能に接続される集塵機用接続部と、
を具備したことを特徴とする集塵機用作業台。
【請求項２】
請求項１記載の集塵機用作業台において、
上記集塵機用接続部は複数設けられていることを特徴とする集塵機用作業台。
【請求項３】
請求項１又は請求項２記載の集塵機用作業台において、
上記集塵機用接続部は、上記作業台本体に設けられた吸気部差込口と、この吸気部差込口に取り付けられ上記集塵機の吸気部が差し込まれることにより開口されるパッキンと、から構成されていることを特徴とする集塵機用作業台。
【請求項４】
請求項１〜請求項３の何れかに記載の集塵機用作業台において、
上記作業台本体には上記集塵機用接続部以外に別の作業台本体を着脱可能に接続するための作業台用接続部が設けられていることを特徴とする集塵機用作業台。
【請求項５】
請求項４記載の集塵機用作業台において、
上記作業台用接続部は複数設けられていることを特徴とする集塵機用作業台。
【請求項６】
請求項４又は請求項５記載の集塵機用作業台において、
上記作業台用接続部は、上記作業台本体に設けられた連通口と、上記連通口に着脱可能に取り付けられた蓋体と、から構成されていること特徴とする集塵機用作業台。
【請求項７】
請求項１〜請求項６の何れかに記載の集塵機用作業台において、
上記集塵機用接続部を介して別の集塵機用作業台も接続可能であることを特徴とする集塵機用作業台。
【請求項８】
請求項７記載の集塵機用作業台において、
上記作業台本体は上記集塵機用接続部と上記作業台用接続部を利用して左右方向（Ｘ方向）又は前後方向（Ｙ方向）の何れか一方又は両方に接続されるように構成されていることを特徴とする集塵機用作業台。
【請求項９】
請求項１〜請求項８の何れかに記載の集塵機用作業台と、上記集塵機用作業台の集塵機用接続部に接続される集塵機と、を具備したことを特徴とする集塵装置。
【請求項１０】
請求項９記載の集塵装置において、
上記集塵機は一台の集塵機用作業台又は複数台の集塵機用作業台に接続されていることを特徴とする集塵装置。
【考案の詳細な説明】
【技術分野】
【０００１】
本考案は、集塵機用作業台と集塵装置に係り、特に、集塵機用作業台と集塵機を適宜組み合わせて所望の構成をなす集塵装置を得ることができるように工夫したものに関する。
【背景技術】
【０００２】
下記の特許文献１に示すように、従来から作業台と集塵機を組み合わせた作業台付きの集塵装置が開発されている。このものは、作業台と集塵機が一体に組み合わされた一体構造の集塵装置であって、作業台上面の作業テーブルの上に固定集塵フード体と可動集塵フード体の二種のフード体を設けると共に、作業台上面に取付方向が変えられる嵌込式の多孔板を設置したものである。  
そして、上記可動集塵フード体の前後方向のスライド操作と、上記多孔板の取付方向の変更操作と、によって、粉塵の発生量の多少に対応すると共に、目的に応じた大きさの作業エリアを確保するようにしている。  
尚、このような作業台付きの集塵装置は、コピー機等のメンテナンスやグラインダによる研磨作業等の粉塵や埃を伴う種々の作業に使用されている。
【先行技術文献】
【特許文献】
【０００３】
【特許文献１】特開２００５−９５７０８号公報
【考案の概要】
【考案が解決しようとする課題】
【０００４】
上記従来の構成によると次のような問題が有った。
まず、上記可動集塵フード体のスライド操作によって可変できる作業エリアと吸引エリアの大きさは限られており、対応できるワークの大きさは、単一の作業テーブルに収まる範囲に限定される。したがって、サイズの大きなワークに対応するためには、大型の作業テーブルを有する専用の集塵装置を別途用意しなければならない。
又、ワークの形状や種類、作業の内容や作業環境等によって左右方向に長い作業エリアと吸引エリアが必要な場合、前後方向に長い作業エリアと吸引エリアが必要な場合も、そのような特種な形状の作業テーブルを有する専用の集塵装置を別途用意しなければならない。
そして、作業テーブルの大きさや形状の違う作業台付きの集塵装置を予め複数台備えておくことは、設備コストの増大を招き、広い設置スペースないし保管スペースを必要とししまうという問題があった。
【０００５】
本考案はこのような点に基づいてなされたものでその目的とするところは、ワークの大きさや形状、種類或いは作業内容や作業環境等に応じて、自由に作業台上面の作業エリアと吸引エリアの大きさと形状を変更することができ、しかも設備コストを低く抑え、広い設置スペースや保管スペースを必要としない合理的な使用形態を可能にする集塵機用作業台と集塵装置を提供することにある。
【課題を解決するための手段】
【０００６】
上記目的を達成するべく本願考案の請求項１による集塵機用作業台は、作業時に発生する塵埃を吸引口から内部に吸引する作業台本体と、上記作業台本体に設けられ集塵機の吸気部が着脱可能に接続される集塵機用接続部と、を具備したことを特徴とするものである。
又、請求項２による集塵機用作業台は、請求項１記載の集塵機用作業台において、上記集塵機用接続部は複数設けられていることを特徴とするものである。
又、請求項３による集塵機用作業台は、請求項１又は請求項２記載の集塵機用作業台において、上記集塵機用接続部は、上記作業台本体に設けられた吸気部差込口と、この吸気部差込口に取り付けられ上記集塵機の吸気部が差し込まれることにより開口されるパッキンと、から構成されていることを特徴とするものである。
又、請求項４による集塵機用作業台は、請求項１〜請求項３の何れかに記載の集塵機用作業台において、上記作業台本体には上記集塵機用接続部以外に別の作業台本体を着脱可能に接続するための作業台用接続部が設けられていることを特徴とするものである。
又、請求項５による集塵機用作業台は、請求項４記載の集塵機用作業台において、上記作業台用接続部は複数設けられていることを特徴とするものである。
又、請求項６による集塵機用作業台は、請求項４又は請求項５記載の集塵機用作業台において、上記作業台用接続部は、上記作業台本体に設けられた連通口と、上記連通口に着脱可能に取り付けられた蓋体と、から構成されていること特徴とするものである。
又、請求項７による集塵機用作業台は、請求項１〜請求項６の何れかに記載の集塵機用作業台において、上記集塵機用接続部を介して別の集塵機用作業台も接続可能であることを特徴とするものである。
又、請求項８による集塵機用作業台は、請求項７記載の集塵機用作業台において、上記作業台本体は上記集塵機用接続部と上記作業台用接続部を利用して左右方向（Ｘ方向）又は前後方向（Ｙ方向）の何れか一方又は両方に接続されるように構成されていることを特徴とするものである。
又、請求項９による集塵装置は、請求項１〜請求項８の何れかに記載の集塵機用作業台と、上記集塵機用作業台の集塵機用接続部に接続される集塵機と、を具備したことを特徴とするものである。
又、請求項１０による集塵装置は、請求項９記載の集塵装置において、上記集塵機は一台の集塵機用作業台又は複数台の集塵機用作業台に接続されていることを特徴とするものである。
【考案の効果】
【０００７】
以上述べたように、本願考案の請求項１による集塵機用作業台によると、作業時に発生する塵埃を吸引口から内部に吸引する作業台本体と、上記作業台本体に設けられ集塵機の吸気部が着脱可能に接続される集塵機用接続部と、を具備した構成になっているので、作業を行わない場合には、集塵機を集塵機用接続部から取り外して集塵機用作業台と集塵機を別々に保管する、他の用途で集塵機用作業台と集塵機を別々に使用する、ことが可能である。一方、作業時には両者を接続して作業台付きの集塵装置として使用することが可能である。又、集塵機として既存の集塵機を利用することも可能である。
又、請求項２による集塵機用作業台によると、請求項１記載の集塵機用作業台において、上記集塵機用接続部は複数設けられているので、集塵機との接続に適した任意の一つの集塵機用接続部を使用して接続することが可能であるし、複数の集塵機用接続部を使用して複数の集塵機と接続することも可能である。  
又、請求項３による集塵機用作業台によると、請求項１又は請求項２記載の集塵機用作業台において、上記集塵機用接続部は、上記作業台本体に設けられた吸気部差込口と、この吸気部差込口に取り付けられ上記集塵機の吸気部が差し込まれることにより開口されるパッキンと、から構成されているので、集塵機の吸気部が差し込まれていない場合にはパッキンにより閉じられていて、集塵機の吸気部が差し込まれることにより開口され、しかも、その周囲はそのパッキンにより閉塞された状態となり、良好な接続部を自動的に構成することができる。
又、請求項４による集塵機用作業台によると、請求項１〜請求項３の何れかに記載の集塵機用作業台において、上記作業台本体には上記集塵機用接続部以外に別の作業台本体を着脱可能に接続するための作業台用接続部が設けられているので、ワークの大きさや形状等に合わせて複数台の集塵機用作業台を接続することが可能になる。
又、請求項５による集塵機用作業台によると、請求項４記載の集塵機用作業台において、上記作業台用接続部は複数設けられているので、ワークの大きさや形状、種類あるいは作業の内容や作業環境等に合わせて接続に最適な方向ないし位置にある作業台用接続部を使用することが可能であり、複数の作業台用接続部を使用してより多くの台数の集塵機用作業台を接続して作業エリアと吸引エリアの大きさと形状を変更することが可能である。  
又、請求項６による集塵機用作業台によると、請求項４又は請求項５記載の集塵機用作業台において、上記作業台用接続部は、上記作業台本体に設けられた連通口と、上記連通口に着脱可能に取り付けられた蓋体と、から構成されているので、蓋体を適宜外すことにより連通口を開放して別の集塵機用作業台と連通させることができる。
又、請求項７による集塵機用作業台によると、請求項１〜請求項６の何れかに記載の集塵機用作業台において、上記集塵機用接続部を介して別の集塵機用作業台も接続可能であるので、集塵機用接続部と作業台用接続部の両方を利用して別の集塵機用作業台を接続することができる。
又、請求項８による集塵機用作業台によると、請求項７記載の集塵機用作業台において、上記作業台本体は上記集塵機用接続部と上記作業台用接続部を利用して左右方向（Ｘ方向）又は前後方向（Ｙ方向）の何れか一方又は両方に接続されるように構成されているので、作業台本体上面の作業エリアないし吸気エリアを左右方向に拡大したり、前後方向に拡大したり、左右方向と前後方向の両方向に拡大することが可能になる。  
又、請求項９による集塵装置によると、請求項１〜請求項８の何れかに記載の集塵機用作業台と、上記集塵機用作業台の集塵機用接続部に接続される集塵機と、を具備しているので、作業を行わない場合には、集塵機を集塵機用接続部から取り外して集塵機用作業台と集塵機を別々に保管する、他の用途で集塵機用作業台と集塵機を別々に使用する、ことが可能である。一方、作業時には両者を接続して作業台付きの集塵装置として使用することが可能である。又、集塵機として既存の集塵機を利用することも可能である。
又、請求項１０による集塵装置によると、請求項９記載の集塵装置において、上記集塵機は一台の集塵機用作業台又は複数台の集塵機用作業台に接続されているので、ワークの大きさや形状、種類あるいは作業の内容や作業環境等に応じて、自由に作業台上面の作業エリアと吸引エリアの大きさと形状を変更することができ、しかも設備コストを低く抑え、広い設置スペースないし保管スペースを必要としない合理的な使用形態が可能な集塵装置を提供できるようになる。
【図面の簡単な説明】
【０００８】
【図１】本考案の一実施の形態を示す図で、集塵装置の使用状態を示す正面図である。
【図２】本考案の一実施の形態を示す図で、集塵装置を示す右側面図である。
【図３】本考案の一実施の形態を示す図で、集塵装置を示す平面図である。
【図４】本考案の一実施の形態を示す図で、集塵機用作業台を示す正面図である。
【図５】本考案の一実施の形態を示す図で、集塵機用作業台を示す背面図である。
【図６】本考案の一実施の形態を示す図で、集塵機用作業台を示す右側面図である。
【図７】本考案の一実施の形態を示す図で、集塵機用作業台を示す左側面図である。
【図８】本考案の一実施の形態を示す図で、集塵機用作業台を示す平面図である。
【図９】本考案の一実施の形態を示す図で、集塵機用作業台を示す底面図である。
【図１０】本考案の一実施の形態を示す図で、図１０（ａ）は集塵機用作業台の使用形態を示す平面図、図１０（ｂ）は集塵機用作業台の別の使用形態を示す平面図、集塵機用作業台のさらに別の使用形態を示す平面図である。
【図１１】本考案の他の実施の形態を示す図で、集塵機用作業台を示す正面図である。
【図１２】本考案の他の実施の形態を示す図で、集塵機用作業台を示す右側面図である。
【図１３】本考案の他の実施の形態を示す図で、飛散防止カバーを示す縦断正面図である。
【図１４】本考案の他の実施の形態を示す図で、飛散防止カバーを示す縦断右側面図である。
【考案を実施するための形態】
【０００９】
以下、図１乃至図１０を参照して本考案の一実施の形態を説明する。
尚、以下の説明では、最初に本実施の形態の集塵装置の概略の構成について説明し、次に当該集塵装置の要部である本実施の形態の集塵機用作業台の具体的構成とその使用形態の順で説明する。
【００１０】
（１）集塵装置の概略の構成（図１乃至図３参照）
本実施の形態の集塵装置１は、本実施の形態の集塵機用作業台３と、該集塵機用作業台３の集塵機用接続部５に接続される集塵機７と、を備えるセパレートタイプの集塵装置である。  
そして、上記集塵機用作業台３は一台又は複数台接続され、上記集塵機７は上記一台の集塵機用作業台３又は複数台の内の任意の一台又は複数台の集塵機用作業台３の一つ又は複数の集塵機用接続部５に対して接続されるように構成されている。
【００１１】
集塵機用作業台３は、コピー機等のメンテナンスやグラインダによる研磨作業等の塵埃Ｂの発生を伴う種々の作業に使用される集塵機能付きの作業台である。  
そして、本実施の形態の集塵機用作業台３は、作業時に発生する塵埃Ｂを上面１３ａに設けた吸引口１１を介して筺体内部に吸引する作業台本体１３と、該作業台本体１３に設けられ、集塵機７の吸気部１５に対して着脱可能に接続される上記集塵機用接続部５と、を具備することによって基本的に構成されている。
【００１２】
集塵機７は、枠体１７に対して設けられるドラム１９と、該ドラム１９の上方に設けられるフィルタ２１と、上記ドラム１９の下方において着脱可能に設けられる袋体２３と、枠体１７に対して設置される吸気ファン２５とを具備することによって基本的に構成されている。  
ドラム１９は上面と下面が開放された短寸の円筒状の部材で、その周胴部２７の適宜の位置には接線方向に延びる流入ダクト２９が設けられている。そして、ドラム１９の開放された上面は、上方のフィルタ２１に塵埃Ｂを伴った空気Ａを導く連通口になっており、ドラム１９の開放された下面は、下方の袋体２３に向けて塵埃Ｂを落下させる排出口になっている。
【００１３】
フィルタ２１は一例として不織布によって形成される上面、側周面が閉塞され、下面が開放されている円筒袋状の部材で、上記ドラム１９に対して着脱可能な状態で取り付けられている。そして、このフィルタ２１はフィルタ２１自体が保形性を有しており、上記ドラム１９上に取り付けられた状態で起立姿勢を保つように構成されている。  
又、フィルタ２１の上面の頂部には吊下げ片３１が設けられており、必要に応じて上記ドラム１９や枠体１７から立ち上げられる図示しない吊持アームに取り付けられた吊下げフック等に上記吊下げ片３１を係止して、上記フィルタ２１の起立姿勢を更に確実に保持するように構成することも可能である。
【００１４】
そして、このフィルタ２１は吸引された塵埃Ｂを含んだ空気Ａを内側から外側に向けて通過させることにより、空気Ａを外側に排出し、塵埃Ｂを内側に留めて分離する機能を有している。  
又、袋体２３は上記フィルタ２１によって分離された塵埃Ｂを収容する上面が開放され、側周面と下面が閉塞された袋状の部材である。そして、この袋体２３は図示しないバンド等を使用して上記ドラム１９に対して吊下げ状態で取り付けられる。
【００１５】
吸気ファン２５は吸引風を生起させて、塵埃Ｂを含んだ空気Ａを吸引して上記フィルタ２１内に供給させる部材である。そして、この吸気ファン２５は、吸引した塵埃Ｂ中に含まれる塊Ｇを粉砕する機能を併せ持っている。  
吸気ファン２５の駆動は吸気ファン２５の背面側に設けられるモータ３３により行われており、吸気ファン２５の周面には吸気ファン２５を覆うように短寸の円筒状の部材を横に倒した形状のケーシング３５が設けられている。
【００１６】
又、上記ケーシング３５の前面には、前方に向かって水平に延びる一例として円筒状をした吸込口が設けられており、この吸込口が上述した吸気部１５になっている。  
又、上記ケーシング３５には、その接線方向の上方に向けて延びる中継ダクト３７が連接されており、該中継ダクト３７の他端は、上述したドラム１９の流入ダクト２９に接続されている。  
この他、枠体１７には、当該集塵機７の移動手段となる一例としてコーナ部に１個ずつ、計４個設けられているキャスタ３９と、上記モータ３３の起動と停止の切換や吸気ファン２５の吸気量の調節等を司る制御盤４１が設けられている。  
そして、図１乃至図３では、一例として、一台の集塵機用作業台３と一基の集塵機７とを接続した構成の集塵装置１が図示されている。
【００１７】
（２）集塵機用作業台の具体的構成と使用形態（図４乃至図１０参照）
本実施の形態の集塵機用作業台３は、上述したように作業台本体１３と集塵機用接続部５と、を備えることによって基本的に構成されている。そして、本実施の形態では作業台本体１３は、上面１３ａ、下面１３ｂ、前面１３ｃ、後面１３ｄ、右側面１３ｅ、左側面１３ｆが閉塞され、内部に密閉された中空部１４が形成された角箱状の部材で、その上面１３ａには作業者が作業を行う時にワークＷや工具等を載置して作業を行う作業テーブル９が設置されている。
【００１８】
作業テーブル９は、図６及び図７に示すように、作業台本体１３の前面１３ｃから幾分前方に庇状に張り出した矩形平板状の部材で、当該庇状に張り出した部分を除く作業台本体１３の上面１３ａの上方部位には、一例として、多数の吸気孔１０を整列配置させることによって構成されている既に述べた吸引口１１が設けられている。  
又、上記作業テーブル９は、取付け金具４３によって作業台本体１３の右側面１３ｅと左側面１３ｆに対して着脱可能に取り付けられている。
【００１９】
又、本実施の形態では、作業台本体１３の右側面１３ｅと左側面１３ｆのそれぞれの下部の中央に、上述した集塵機用接続部５が１個ずつ計２個設けられている。  
集塵機用接続部５は、図６、図７に示すように、取付フランジ部４５を介して作業台本体１３に取り付けられていて、上記集塵機７の吸気部１５が差し込まれる吸気部差込口を備える一例として円板状の部材で、一例としてゴムシート４７によって形成されている。又、上記ゴムシート４７には放射状に等分配されたスリットが形成されている。そして、集塵機７の吸気部１５を差し込むことによって、当分配された複数個（この実施の形態の場合には６個）の分配片が内側に押し込まれて開口され、当該吸気部１５を取り外すことによって、上記当分配された複数個（この実施の形態の場合には６個）の分配片が元の状態に復帰することにより閉塞されるように構成されている。
【００２０】
又、本実施の形態では、一例として作業台本体１３の右側面１３ｅに設けられる集塵機用接続部５Ａに比べて作業台本体１３の左側面１３ｆに設けられる集塵機用接続部５Ｂの方が幾分大きめに形成されている。  
これに伴い、接続する集塵機７の吸気部１５の大きさに合わせて使用する集塵機用接続部５Ａ、５Ｂを選択することができる。例えば、集塵機７の吸気部１５と接続する側の集塵機用接続部５を口径の小さな集塵機用接続部５Ａとし、集塵機７の吸気部１５と接続しない側の集塵機用接続部５を口径の大きな集塵機用接続部５Ｂとする、等の使い分けができるように構成されている。
【００２１】
又、図４、図５に示すように、本実施の形態では、一例として作業台本体１３の前面１３ｃと後面１３ｄのそれぞれの下部の中央に、別の作業台本体１３と着脱可能に接続する場合に使用される作業台用接続部６が１個ずつ計２個設けられている。  
そして、これらの作業台用接続部６は、接続する作業台本体１３のそれぞれに設けられる中空部１４と連通する連通口４９を備えることによって構成されている。又、本実施の形態では、上記連通口４９は幅方向に長い角窓状の開口部によって構成されており、該連通口４９には、一例として作業台本体１３の外側から当該連通口４９を閉塞する開閉可能な蓋体５１が取り付けられている。
【００２２】
又、他の集塵機用作業台３と接続しない部位の連通口４９は、点検口としても利用でき、この場合、通常は蓋体５１によって閉塞された状態の連通口４９を、当該蓋体５１を拡開することによって開口して集塵機用作業台３の内部の点検等に利用する。  
この他、作業台本体１３の下面１３ｂのコーナ部にはキャスタ５３が１個ずつ計４個設けられており、集塵機用作業台３の移動を容易にしている。
【００２３】
次に、このようにして構成される集塵機用作業台３の使用形態について説明する。本実施の形態では、作業台本体１３は上記作業台用接続部６と上記集塵機用接続部５を利用して、左右方向（Ｘ方向）と前後方向（Ｙ方向）の一方向又は左右方向（Ｘ方向）と前後方向（Ｙ方向）の複数方向に接続されるように構成されている。  
具体的には、例えば、図１０（ａ）に示すように、二台の集塵機用作業台３Ａ、３Ｂを左右方向（Ｘ方向）に接続した使用形態を採用することができる。又、図１０（ｂ）に示すように、二台の集塵機用作業台３Ａ、３Ｂを前後方向（Ｙ方向）に接続した使用形態を採用することもできる。
【００２４】
さらに、図１０（ｃ）に示すように、四台の集塵機用作業台３Ａ、３Ｂ、３Ｃ、３Ｄを左右方向（Ｘ方向）と前後方向（Ｙ方向）に接続した使用形態を採用することもできる。  
そして、この場合、集塵機用作業台３を左右方向（Ｘ方向）に接続する部位では、図１０（ａ）、（ｃ）に示すように、集塵機用接続部５を利用して、これらに筒状の連絡ダクト５５を差し込むことによって集塵機用作業台３を接続する。
【００２５】
一方、集塵機用作業台３を前後方向（Ｙ方向）に接続する部位では、図１０（ｂ）、（ｃ）に示すように、前後の作業台用接続部６を突き合わせ、それぞれの蓋体５１を撤去して連通口４９を開口させた状態で、例えば、図示しないスポンジ製又はゴム製のパッキンを介挿させて接続する。  
又、集塵機用作業台３の接続と接続の解除を簡単に切り換えられるように、図示のような連結具５７、５９が、接続する集塵機用作業台３の接続部に対して適宜設けられている。
【００２６】
そして、このようにして構成される本実施の形態による集塵機用作業台３と集塵装置１によれば、ワークＷの大きさや形状、種類あるいは作業の内容や作業環境等に応じて、自由に集塵機用作業台３の上面１３ａの作業エリアと吸引エリアの大きさと形状を変更することが可能になる。  
又、集塵機用作業台３と集塵機７が着脱可能なセパレートタイプの集塵装置１としたことにより、集塵機７としては既存の設備が使用でき、設備コストを低く抑えることができる。
又、集塵機用作業台３を使用しない場合には、集塵機７との接続を解除すると共に、集塵機用作業台３同士の接続を解除することができ、広い設置スペースや保管スペースを必要としない合理的な使用形態が可能になる。
【００２７】
（３）他の実施の形態（図１１乃至図１４参照）
本考案は、上述した一実施の形態に限定されるものではない。
例えば、図１１及び図１２に示すように作業テーブル９の上面に、上面と後面、そして左右の側面が閉塞され、前面と下面が開放された飛散防止カバ６１を設けることが可能である。そして、飛散防止カバ６１としては、外部から作業の様子が見えるよう、視認性を有する透明又は半透明のプラスチック製等の飛散防止カバ６１が望ましい。
【００２８】
又、複数台の集塵機用作業台３を接続して使用する場合には、左右方向（Ｘ方向）に接続する部位では、図１３に示すように、左右のカバー要素６３Ａ、６３Ｂが、接近方向と離間方向とにスライドする左右スライド式の飛散防止カバ６１Ａが使用できる。一方、前後方向（Ｙ方向）に接続する部位では、図１４に示すように、前後のカバー要素６３Ｃ、６３Ｄが収縮方向と伸長方向とにスライドする前後スライド式の飛散防止カバ６１Ｂが使用可能である。  
又、作業台用接続部６にも集塵機用接続部５に対して設けたパッキン４５と同様のシール部材を設けることが可能であるし、作業台用接続部６の連通口４９の形状は角窓状に限らず円形、楕円形、半円形、多角形等、種々の形状の穴部が採用可能である。
【００２９】
同様に、集塵機用接続部５の吸気部差込口４７の形状も円形に限らず、集塵機７の吸気部１５の形状等に合わせた形状、例えば四角形状にする等、種々の形状の吸気部差込口４７が採用可能である。  
又、集塵機用接続部５と作業台用接続部６は、作業台本体１３の前面１３ｃ、後面１３ｄ、右側面１３ｅ、左側面１３ｆに対してそれぞれ１個ずつ設ける他、これらの一部又は全ての面について集塵機用接続部５と作業台用接続部６を複数個配置することも可能である。
又、集塵機用作業台３自体の形状、集塵機用接続部５と作業台用接続部６の位置、等についても特に限定されない。
【産業上の利用可能性】
【００３０】
本考案は、集塵機用作業台と集塵装置に係り、特に、集塵機用作業台と集塵機を適宜組み合わせて所望の構成をなす集塵装置を得ることができるように工夫したものに関し、例えば、作業台と集塵機を組み合わせた作業台付きの集塵装置の製造、使用分野等で利用でき、特に、ワークの大きさや形状、種類あるいは作業の内容や作業環境等に応じて、自由に作業台上面の作業エリアと吸引エリアの大きさと形状を変更することが可能な安価な集塵機用作業台と集塵装置を提供したい場合に好適である。
【符号の説明】
【００３１】
１  集塵装置
３  集塵機用作業台
５  集塵機用接続部
６  作業台用接続部
７  集塵機
９  作業テーブル
１０  吸気孔
１１  吸引口
１３  作業台本体
１４  中空部
１５  吸気部
４５  取付フランジ部
４７  ゴムシート
Ａ  空気
Ｂ  塵埃
【図１】
0003199780.tif 000003
【図２】
0003199780.tif 000004
【図３】
0003199780.tif 000005
【図４】
0003199780.tif 000006
【図５】
0003199780.tif 000007
【図６】
0003199780.tif 000008
【図７】
0003199780.tif 000009
【図８】
0003199780.tif 000010
【図９】
0003199780.tif 000011
【図１０】
0003199780.tif 000012
【図１１】
0003199780.tif 000013
【図１２】
0003199780.tif 000014
【図１３】
0003199780.tif 000015
【図１４】
0003199780.tif 000016